(57)【要約】【課題】使用者が両手を使って陳列用フックに新しい商品の補充を行うことができるようにして、商品の補充作業の効率化を図る。【解決手段】磁石からなる吸着部と、使用者の体の一部に装着される磁性体からなる装着部と、前記吸着部と前記装着部とを繋ぐ可撓部と、を備える商品補充補助用具。【選択図】図１
2018143430.tif 000002
【特許請求の範囲】
【請求項１】
磁石からなる吸着部と、使用者の体の一部に装着される装着部と、前記吸着部と前記装着部とを繋ぐ可撓部と、を備えたことを特徴とする商品補充補助用具。
【請求項２】
請求項１に記載の商品補充補助用具において、
前記装着部が磁性体からなることを特徴とする商品補充補助用具。
【請求項３】
陳列用フックへ商品を補充する商品補充方法において、
磁石からなる吸着部と、使用者の体の一部に装着される磁性体又は非磁性体からなる装着部と、前記吸着部と前記装着部とを繋ぐ可撓部と、を備えた商品補充補助用具を用い、
使用者の体の一部に前記装着部を装着する装着工程と、
前記吸着部を、前記陳列用フックの先端部に磁力により吸着させる吸着工程と、
前記吸着工程の後、前記陳列用フックに陳列中の商品を、前記陳列用フックから前記商品補充補助用具に移す移動工程と、
前記移動工程の後、前記陳列用フックの先端部から前記吸着部を外し、前記吸着部を前記装着部又は前記装着部以外に使用者の体の一部に装着された磁性体に吸着させて、商品の一時引き上げを行う一時引き上げ工程と、
新しい商品を前記陳列用フックに配した後、前記商品補充補助用具に一時引き上げした商品を、前記陳列用フックに戻す戻し工程と、
を含むことを特徴とする商品補充方法。
【発明の詳細な説明】
【技術分野】
【０００１】
本発明は、商品補充補助用具、及び商品補充方法に関する。
【背景技術】
【０００２】
現在、物販店などにおいて、商品を吊り下げて陳列するために、棒状の陳列用フックが用いられている。陳列用フックは棒状であるため、陳列用フックに吊り下げて陳列された商品を取り出す場合、手前に陳列されている商品を取り出さなければ奥に陳列されている商品を取り出すことができない。物販店などは、特に賞味期限のある商品について、古い商品から販売することを望むため、新しい商品を補充する際に、古い商品を陳列用フックから一旦取り外し、新しい商品を奥に吊り下げた後に、取り外した古い商品を新しい商品の手前側に吊り下げる作業が行われる。
【０００３】
このように、陳列用フックに陳列されている古い商品と新しい商品との陳列順序の入れ替えを伴う商品の補充作業を行う場合、多くの時間と労力を費やすため、当該作業の効率の改善が求められている。この種の作業効率の改善を図るための先行技術として、現在、特許文献１のような商品移動用具がある。
【先行技術文献】
【特許文献】
【０００４】
【特許文献１】特許第５３３４４４４号公報
【発明の概要】
【発明が解決しようとする課題】
【０００５】
しかしながら、特許文献１に示す商品移動用具によれば、使用者の一方の手で商品移動用具を把持しておく必要があり、新しい商品の補充作業を片手で行わなければならず、作業効率の改善が十分に図られない。
【０００６】
そこで、本発明は、両手を使って陳列用フックに新しい商品の補充を行うことができる商品補充補助用具、及び商品補充方法を提供することを目的とする。
【課題を解決するための手段】
【０００７】
本発明にかかる商品補充補助用具は、磁石からなる吸着部と、使用者の体の一部に装着される装着部と、前記吸着部と前記装着部とを繋ぐ可撓部と、を備える。
【０００８】
前記構成を備える商品補充補助用具において、前記装着部は、磁性体からなるものであることが望ましい。
【０００９】
本発明にかかる商品補充方法は、陳列用フックへ商品を補充する方法であって、磁石からなる吸着部と、使用者の体の一部に装着される磁性体又は非磁性体からなる装着部と、前記吸着部と前記装着部とを繋ぐ可撓部と、を備えた商品補充補助用具を用いる。具体的には、使用者の体の一部に前記装着部を装着する装着工程と、前記吸着部を前記陳列用フックの先端部に磁力により吸着させる吸着工程と、前記吸着工程の後、前記陳列用フックに陳列中の商品を、前記陳列用フックから前記商品補充補助用具に移す移動工程と、前記移動工程の後、前記陳列用フックの前記先端部から前記吸着部を外し、前記可撓部を輪状ないし弧状に変形させた状態で、前記吸着部を、前記装着部又は前記装着部以外に使用者の体の一部に装着された磁性体に吸着させて、商品の一時引き上げを行う一時引き上げ工程と、新しい商品を前記陳列用フックに配した後、前記商品補充補助用具に一時引き上げした商品を、前記陳列用フックに戻す戻し工程と、を含む。
【発明の効果】
【００１０】
本発明によれば、使用者は両手を使って陳列用フックに新しい商品の補充を行うことができる。
【図面の簡単な説明】
【００１１】
【図１】本実施の形態にかかる商品補充方法の前半手順を示す工程図である。なお、図１は、図１（ａ）〜図１（ｄ）で構成される。
【図２】本実施の形態にかかる商品補充方法の後半手順を示す工程図である。なお、図２は、図２（ａ）〜図２（ｄ）で構成される。（ａ）は上から視た図であり、（ｂ）〜（ｄ）は側方から視た図である。
【図３】本実施の他の形態にかかる商品補充補助用具の概略図である。なお、図３は、図３（ａ）〜図３（ｃ）で構成される。
【発明を実施するための形態】
【００１２】
以下、本発明の実施の形態に係る商品補充補助用具１について、図面を参照しつつ説明する。
【００１３】
商品補充補助用具１は、商品６Ａを陳列用フック５に補充する際に用いる。特に、既に陳列用フック５に商品６Ｂが陳列されている時に、陳列用フック５の基端部５１側に新しい商品６Ａを配し、既に配されている古い商品６Ｂを陳列用フック５の先端部５２側に配するために用いる（図１，２参照）。
【００１４】
商品補充補助用具１は、図１，２に示すように、磁石からなる吸着部２と、使用者の体の一部に装着される装着部３と、吸着部２と装着部３とを繋ぐ可撓部４とを備えている。
【００１５】
吸着部２は、略円柱状の磁石で構成されている。先端面２１が平坦面となっている。吸着部２のうち、可撓部４が接続される基端部側が連結部２２となる。また、本実施形態では、吸着部２の直径（特に吸着部２の先端面２１近傍の直径）は、陳列用フック５の先端部５２の直径と同一であることが望ましい。
【００１６】
装着部３は、磁性体で構成され、環状（リング状）に形成されている。この環状の装着部３は使用者の体の一部に装着されるものであり、本実施形態では、使用者の指に装着される。これにより、使用者は、装着部３を指に保持して商品補充補助用具１を使用することができる。
【００１７】
可撓部４は、例えば可撓性の線材で構成される。線材の材質としては、金属、樹脂、ゴム、繊維等、様々なものを採用し得るが、使用に耐え得るものであれば、特定の材質に限定されない。本実施の形態では、可撓部４は、金属製のワイヤで構成されている。可撓部４の一端は、装着部３にカシメ留めされ、可撓部４の他端は、吸着部２の連結部２２に螺着されている。
【００１８】
陳列用フック５は、断面が略正円となる１本の棒材で構成されている。陳列用フック５は、図１，２に示すように、先端部５２近傍で折曲成形されている。折曲角度は、棒材の軸線上に対して９０度未満であり、４５度未満に成形されていることが商品６Ａ，６Ｂを陳列するためのフックとしては使いやすい。陳列用フック５の先端部５２の先端面は、曲面（略半球面）に形成されている（図３（ｂ）、図３（ｃ）参照）。陳列用フック５の基端部５１は、一般に角パイプやネットなどに取り付けられる。
【００１９】
次に、商品補充補助用具１を用いた陳列用フック５への商品６Ａの補充方法について図１，２を用いて説明する。
【００２０】
最初に、陳列用フック５に陳列中の商品６Ｂの一時引き上げを行うまでの工程を図１を用いて説明する。
【００２１】
先ず、使用者の一方の手の指（例えば親指）に商品補充補助用具１の装着部３を嵌めて（装着して）、一方の手の全ての指が動く状態で、商品補充補助用具１を一方の手に保持する（この工程を装着工程という）。次に、図１（ａ）に示すように、陳列用フック５に商品６Ｂが陳列されている状態から、図１（ｂ）に示すように、商品補充補助用具１の吸着部２の先端面２１を、陳列用フック５の先端部５２の側面に磁力により吸着させる（この工程を吸着工程という）。なお、この吸着工程では、商品補充補助用具１の吸着部２の先端面２１を、陳列用フック５の先端部５２の側面に吸着させているが、商品が軽い場合は、吸着部２と陳列フック５の先端部５２とが一直線を形成するように、吸着部２の先端面２１を陳列用フック５の先端部５２の端面に吸着させてもよい。
【００２２】
次に、図１（ｃ）に示すように、陳列用フック５に陳列中の商品６Ｂを一つずつ順に、陳列用フック５の基端部５１側から先端部５２側に移動させて、先端部５２から商品補充補助用具１の吸着部２を経由して可撓部４まで移動させる（この工程を移動工程という）。なお、この移動工程では、商品６Ｂを一つずつ順に移動させているが、商品の種類、大きさ、重さ等に応じて商品６Ｂを２、３個ずつ移動させてもよいし、全数まとめて移動させてもよい。
【００２３】
次に、陳列用フック５の先端部５２の側面から商品補充補助用具１の吸着部２を取り外し、図１（ｄ）に示すように、取り外した商品補充補助用具１の吸着部２（好ましくは吸着部２１の先端面２１）を、商品補充補助用具１の装着部３に磁力により吸着させて、商品６Ｂの一時引き上げを行う（この工程を一時引き上げ工程という）。なお、図１（ｄ）に示すように、一時引き上げされた商品６Ｂは、輪状ないし弧状に変形（湾曲）した可撓部４に吊り下げられているため、商品６Ｂは多少揺動することはあっても一定の場所に留まっている。このため、後の作業がやり易くなる。
【００２４】
次に、新しい商品６Ａを、陳列用フック５に陳列し、一時引き上げした商品６Ｂを陳列用フックに戻す工程を、図２を用いて説明する。
【００２５】
前記一時引き上げ工程の後、図２（ａ）に示すように、新しい商品６Ａを陳列用フック５に補充する（この工程を追加工程という）。このとき、商品補充補助用具１を保持している方の手も使って（つまり両手で）補充作業を行うことができるので効率的に補充作業を行うことができる。
【００２６】
図２（ｂ）に示すように、陳列用フック５への新しい商品６Ａの追加が完了した後、図２（ｃ）に示すように、商品補充補助用具１に一時引き上げした商品６Ｂを、陳列用フック５に戻す（この工程を戻し工程という）。この戻し工程では、商品補充補助用具１の吸着部２の先端面２１を、商品補充補助用具１の装着部３から外し、陳列用フック５の先端部５２の先端面に磁力により吸着させる。好ましくは図２（ｃ）に示すように、吸着部２が陳列用フック５の先端部５２と直線を形成するように吸着させる。その後、一時引き上げしていた商品６Ｂを一つずつ順に、商品補充補助用具１の可撓部４から吸着部２に移動させて、吸着部２から陳列用フック５へ移動させ、図２（ｄ）に示すような補充完了状態とする。なお、この戻し工程では、商品６Ｂを一つずつ順に移動させているが、商品の種類、大きさ、重さ等に応じて商品６Ｂを２、３個ずつ移動させてもよいし、全数まとめて移動させてもよい。
【００２７】
上記の通り、本実施の形態にかかる商品補充補助用具１及び商品補充方法によれば、使用者は両手を使って、陳列用フック５へ新しい商品６Ａを補充することができるので補充作業の効率が向上する。
【００２８】
なお、本実施の形態では、商品補充補助用具１の装着部３自体が磁性体となっているが、これに限定されるものではなく、少なくとも装着部３の一部が磁性体で構成されたものであってもよい。
【００２９】
また、本実施の形態では、商品補充補助用具１の装着部３が磁性体で構成されているがが、これに限定されるものではない。例えば、装着部３を非磁性体（又は磁性体のまま）とし、使用者の体の一部に磁性体からなる何らかの物を装着して、装着部３の代わりに、その磁性体に吸着部２を吸着させて使用してもよい。このような実施形態でも古い商品６Ｂを可撓部４に保持する（吊り下げる）ことができる。例えば、使用者の制服に磁性体のバッチなどを貼付しておき、装着部３の代わりに磁性体のバッチなどに吸着部２を吸着させて使用するような形態であってもよい。なお、吸着部２を装着部３以外の磁性体に吸着させて使用する場合には、吸着部２を当該磁性体に吸着させたときに、可撓部４が輪状ないし弧状に変形（湾曲）することが望ましい。可撓部４が輪状ないし弧状に湾曲することで、そこに吊り下げられた商品６Ｂが一定の場所に留まり作業がやり易くなる。
【００３０】
また、本実施の形態では、環状の装着部３を用いて使用者の一方の手の指に商品補充補助用具１の装着部３を嵌めているが、これに限定されるものではなく、装着部３は使用者の体の一部（好ましくは使用者の手又は手の近く）に装着できるものであればよい。例えば、装着部３を比較的大型にし、ブレスレットのようにして、使用者の一方の腕にその装着部３を嵌めてもよい。また、装着部３は、その形状が環状に限定されるものではなく、Ｃ字形状であってもよいし、着脱可能な指バンドやリストバンドであってもよい。
【００３１】
また、本実施の形態では、吸着部２の全体が磁石で構成されているが、これに限定されるものではなく、少なくとも吸着部２の先端面２１近傍のみが磁石で構成されていればよい。
【００３２】
また、本実施の形態にかかる商品補充補助用具１は、上記した構成に限定されるものではなく、図３に示す他の形態であってもよい。
【００３３】
具体的には、本実施の形態にかかる商品補充補助用具１の可撓部４の他端が、吸着部２の連結部２２に着脱不能に螺着されているが、これに限定されるものではなく、図３（ａ）に示すように、着脱可能に螺着されていてもよい。この場合、吸着部２の直径等の大きさ（特に、先端面２１の直径等の大きさ）を、陳列用フック５の先端部５２（特に、先端面）の直径等の大きさと一致するように、吸着部２（先端面２１）を取り替えすることができる。
【００３４】
また、商品補充補助用具１の吸着部２の先端面２１は平坦面に成形されているが、これに限定されるものではなく、図３（ｂ）に示すように、吸着部２の先端面２１が、陳列用フック５の先端部５２の先端面の形状（半球面）に対応した凹状の反球面に形成されてもよい。この場合、吸着部２の先端面２１と、先端部５２の先端面との接触面積が増すため、吸着力が増し、商品の移動中に商品の重さによって吸着部２が陳列用フック５から外れてしまう可能性が少なくなる。また、上記吸着力が増せば、図１（ｂ）に示すような先端部５２の側面に、吸着部２の先端面２１を吸着させるのではなく、図２（ｃ）に示すような先端部５２の先端面に、吸着部２の先端面２１を吸着させることができる。
【００３５】
また、商品補充補助用具１の吸着部２の先端面２１は平坦面に成形されているが、これに限定されるものではなく、図３（ｃ）に示すように、吸着部２の先端面２１に、有底孔２３が成形されてもよい。この場合も吸着部２の先端面２１と、先端部５２の先端面との接触面積が増すため、吸着力が増し、商品の移動中に商品の重さによって吸着部２が陳列用フック５から外れてしまう可能性が少なくなる。
【符号の説明】
【００３６】
１  商品補充補助用具
２  吸着部
３  装着部
４  可撓部
５  陳列用フック
５２  先端部
６Ａ，６Ｂ  商品
【図１】
2018143430.tif 000003
【図２】
2018143430.tif 000004
【図３】
2018143430.tif 000005